(57)【要約】      （修正有）【課題】メモ、領収書、チケット、マスク等の小物を落としてしまうことがなく、それらを容易に包み込み、手帳からはみ出ることがないエンベロープリフィルを提供する。【解決手段】システム手帳のリフィルであって、第１面１１と第２面１２が長辺で接続部１３により接続され、谷折りの内側の第１面の上部に第１のカバー部１１ａが形成され、下部に第２のカバー部１１ｂが形成され、第２面１２の上部に第３のカバー部１２ａが形成され、下部に第４のカバー部１２ｂが形成され、これら４つのカバー部は、本体１０と接続部１３側の角部を固定しない構成としたエンベロープリフィルである。【選択図】図１
0003234078.tif 000002
【実用新案登録請求の範囲】
【請求項１】
システム手帳のリフィルであって、
リング穴が設けられたリング接続部と、
前記リング接続部に長辺が接続する第１面と、
前記長辺とは反対側の長辺に谷折り可能に接続する第２面と、を有し、
前記第１面の前記谷折りの内側上部を覆う第１のカバー部と、前記第１面の前記谷折りの内側下部を覆う第２のカバー部と、前記第２面の前記谷折りの内側上部を覆う第３のカバー部と、前記第２面の前記谷折りの内側下部を覆う第４のカバー部と、を備え、
前記第１のカバー部は、上辺と左側辺が前記第１面に固定され、
前記第２のカバー部は、下辺と左側辺が前記第１面に固定され、
前記第３のカバー部は、上辺と右側辺が前記第２面に固定され、
前記第４のカバー部は、下辺と右側辺が前記第２面に固定されていることを特徴とするエンベロープリフィル。
【請求項２】
リング接続部には、第２面の折り返された長辺を挟み込むフラップ部が設けられていることを特徴とする請求項１記載のエンベロープリフィル。
【請求項３】
リング接続部は、システム手帳のリングレバーに接触しないよう、第１面に接続する長辺に比べて反対側の長辺を短くしたことを特徴とする請求項１又は２記載のエンベロープリフィル。
【請求項４】
広げられたリング接続部と第２面の角部を丸めたことを特徴とする請求項１乃至３のいずれか記載のエンベロープリフィル。
【請求項５】
第１のカバー部及び第２のカバー部において、第１面に固定されていない角部を丸め、第３のカバー部及び第４のカバー部において、第２面に固定されていない角部を丸めたことを特徴とする請求項１乃至４のいずれか記載のエンベロープリフィル。
【請求項６】
第１面と第２面との接続辺の上端及び下端に切り込みを入れ、当該切り込みによって形成される角部を丸めたことを特徴とする請求項１乃至５のいずれか記載のエンベロープリフィル。
【考案の詳細な説明】
【技術分野】
【０００１】
本考案は、システム手帳のリフィルに係り、特に、メモ、小物等を容易に包み込み、それらを落とすことがなく、手帳からはみ出ることがないエンベロープリフィルに関する。
【背景技術】
【０００２】
［先行技術の説明］
従来のシステム手帳において、メモ、小物等を保持するリフィルとしては、サイドファスナーを備えたプラスチック製のものがあった。
【０００３】
［関連技術］
尚、関連する先行技術としては、実用新案登録第３１６９９６７号公報「リフィル用紙及びそれを備えた手帳」（特許文献１）、実用新案登録第３１８２１８３号公報「金銭収納袋体」（特許文献２）、実用新案登録第３１８２１８４号公報「封筒片」（特許文献３）、実開平０３−０２６５７９号公報「システム手帳用封筒リフィル」（特許文献４）、実開平０３−１１６９７１号公報「システム手帳用とじ込み袋」（特許文献５）がある。
【０００４】
特許文献１には、横長のページを折り畳み可能とするリフィル用紙が記載されている。
特許文献２には、ポチ袋や金封がシステム手帳にファイルされるよう、切り離し可能なファイル穴を備えたファイル部を備えた金銭収納袋体が記載されている。
【０００５】
特許文献３には、封筒に切り離し可能な便せんが設けられ、その便せんには切り離し可能なファイル穴を備えたファイル部を備えた封筒片が記載されている。
特許文献４には、リング穴を有し、封筒と切り離し可能に先端縁を備えるリフィルが記載されている。
特許文献５には、特許文献２と同様の構成のとじ込み袋が記載されている。
【先行技術文献】
【特許文献】
【０００６】
【特許文献１】実用新案登録第３１６９９６７号公報
【特許文献２】実用新案登録第３１８２１８３号公報
【特許文献３】実用新案登録第３１８２１８４号公報
【特許文献４】実開平０３−０２６５７９号公報
【特許文献５】実開平０３−１１６９７１号公報
【考案の概要】
【考案が解決しようとする課題】
【０００７】
しかしながら、上記従来のシステム手帳のリフィルでは、長辺の端部にスライドファスナーを設ける構造となっているため、システム手帳からスライドファスナーがはみ出すことがあり、見栄えが悪く、まとまりのないものになるという問題点があった。
【０００８】
尚、特許文献１〜５には、谷折りになる第１面と第２面のそれぞれの上下にカバー部を設けて、小物が落ちないようにして、手帳からはみ出ることがないリフィルについては記載されていない。
【０００９】
本考案は上記実状に鑑みて為されたものであり、メモ、領収書、チケット、マスク等の小物を落としてしまうことがなく、それらを容易に包み込むことができ、手帳からはみ出ることがないエンベロープリフィルを提供することを目的とする。
【課題を解決するための手段】
【００１０】
上記従来例の問題点を解決するための本考案は、システム手帳のエンベロープリフィルであって、リング穴が設けられたリング接続部と、リング接続部に長辺が接続する第１面と、当該長辺とは反対側の長辺に谷折り可能に接続する第２面と、を有し、第１面の谷折りの内側上部を覆う第１のカバー部と、第１面の谷折りの内側下部を覆う第２のカバー部と、第２面の谷折りの内側上部を覆う第３のカバー部と、第２面の谷折りの内側下部を覆う第４のカバー部と、を備え、第１のカバー部は、上辺と左側辺が第１面に固定され、第２のカバー部は、下辺と左側辺が第１面に固定され、第３のカバー部は、上辺と右側辺が第２面に固定され、第４のカバー部は、下辺と右側辺が第２面に固定されていることを特徴とする。
【００１１】
本考案は、上記エンベロープリフィルにおいて、リング接続部には、第２面の折り返された長辺を挟み込むフラップ部が設けられていることを特徴とする。
【００１２】
本考案は、上記エンベロープリフィルにおいて、リング接続部が、システム手帳のリングレバーに接触しないよう、第１面に接続する長辺に比べて反対側の長辺を短くしたことを特徴とする。
【００１３】
本考案は、上記エンベロープリフィルにおいて、広げられたリング接続部と第２面の角部を丸めたことを特徴とする。
【００１４】
本考案は、上記エンベロープリフィルにおいて、第１のカバー部及び第２のカバー部において、第１面に固定されていない角部を丸め、第３のカバー部及び第４のカバー部において、第２面に固定されていない角部を丸めたことを特徴とする。
【００１５】
本考案は、上記エンベロープリフィルにおいて、第１面と第２面との接続辺の上端及び下端に切り込みを入れ、当該切り込みによって形成される角部を丸めたことを特徴とする。
【考案の効果】
【００１６】
本考案によれば、リング穴が設けられたリング接続部と、リング接続部に長辺が接続する第１面と、当該長辺とは反対側の長辺に谷折り可能に接続する第２面と、を有し、第１面の谷折りの内側上部を覆う第１のカバー部と、第１面の谷折りの内側下部を覆う第２のカバー部と、第２面の谷折りの内側上部を覆う第３のカバー部と、第２面の谷折りの内側下部を覆う第４のカバー部と、を備え、第１のカバー部は、上辺と左側辺が第１面に固定され、第２のカバー部は、下辺と左側辺が第１面に固定され、第３のカバー部は、上辺と右側辺が第２面に固定され、第４のカバー部は、下辺と右側辺が第２面に固定されているエンベロープリフィルとしているので、谷折りにした状態でメモ、領収書、チケット、マスク等の小物をカバー部で押さえられるので、小物を落ちないように保持でき、手帳からはみ出ることがなく、見栄えをよくできる効果がある。
【００１７】
本考案によれば、リング接続部には、第２面の折り返された長辺を挟み込むフラップ部が設けられている上記エンベロープリフィルとしているので、フラップ部で第２面の長辺を押さえ込むことができ、閉じた第１面と第２面が簡単に開いてしまうことを防止できる効果がある。
【図面の簡単な説明】
【００１８】
【図１】Ａ５サイズの本リフィルを開いた状態の平面図である。
【図２】Ａ５サイズの本リフィルを閉じた状態の平面図である。
【図３】バイブルサイズの本リフィルを開いた状態の平面図である。
【図４】バイブルサイズの本リフィルを閉じた状態の平面図である。
【考案を実施するための形態】
【００１９】
本考案の実施の形態について図面を参照しながら説明する。
［実施の形態の概要］
本考案の実施の形態に係るエンベロープリフィル（本リフィル）は、第１面と第２面が長辺で接続部により接続され、谷折りの内側の第１面の上部、下部、第２面の上部、下部にカバー部を形成し、当該カバー部は、本体中央側の角部を固定しない構成としたものであり、谷折りにした状態でメモ、領収書、チケット、マスク等の小物をカバー部で押さえられるので、小物を落ちないように保持でき、更にスライダーを用いていないため、手帳からはみ出ることがなく、見栄えをよくできるものである。
尚、本リフィルは、封筒のように小物等を包み込むものであるので、「エンベロープリフィル」と称している。
【００２０】
また、本リフィルは、第１面の接続部とは反対側の長辺に接続するリング接続部にフラップ部を設け、第２面の右側辺の端部を差し込んで押さえ込むようにしているので、閉じた状態の第１面と第２面が簡単に開いてしまうことを防止できるものである。
【００２１】
［Ａ５サイズリフィル：図１，２］
本リフィルについて図１，２を参照しながら説明する。尚、図１，２に示す本リフィルは、Ａ５サイズのリフィルとなっている。図１は、Ａ５サイズの本リフィルを開いた状態の平面図であり、図２は、Ａ５サイズの本リフィルを閉じた状態の平面図である。
本リフィルは、図１に示すように、開いた状態では、本体１０の左側の第１面１１と右側の第２面１２とが長辺で接続部１３により接続されている。
【００２２】
本リフィルの本体は、例えば、ポリプロピレン（polypropylene：ＰＰ）等で形成されている。
尚、接続部１３とは、第１面１１と第２面１２とが一体に形成されたものを中央で折り曲げた折り曲げ部分である。
【００２３】
また、第１面１１の上側には第１のカバー部１１ａと、下側には第２のカバー部１１ｂが形成されている。
また、第２面１２の上側には第３のカバー部１２ａと、下側には第４のカバー部１２ｂが形成されている。
これらカバー部は、接続部１３で谷折りされる内側面に形成され、反対の山折りされる外側面には形成されていない。
【００２４】
［第１のカバー部１１ａ］
第１のカバー部１１ａは、第１面１１の上部を覆うように、上辺が第１面１１の上辺に固定され、左側辺が第１面１１の左側辺に固定されている。図において、太めの点線部分が圧着部分を示している。
尚、第１のカバー部１１ａの下辺と右側辺は、第１面１１には固定されていない。また、下辺と右側辺の角部は、丸められており、メモ等を差し込み易くなっている。
【００２５】
［第２のカバー部１１ｂ］
第２のカバー部１１ｂは、第１面１１の下部を覆うように、下辺が第１面１１の下辺に固定され、左側辺が第１面１１の左側辺に固定されている。
尚、第２のカバー部１１ｂの上辺と右側辺は、第１面１１には固定されていない。また、上辺と右側辺の角部は、丸められており、メモ等を差し込み易くなっている。
【００２６】
［第３のカバー部１２ａ］
第３のカバー部１２ａは、第２面１２の上部を覆うように、上辺が第２面１２の上辺に固定され、右側辺が第２面１２の右側辺に固定されている。
尚、第３のカバー部１２ａの下辺と左側辺は、第２面１２には固定されていない。また、下辺と左側辺の角部は、丸められており、メモ等を差し込み易くなっている。
【００２７】
［第４のカバー部１２ｂ］
第４のカバー部１２ｂは、第２面１２の下部を覆うように、下辺が第２面１２の下辺に固定され、右側辺が第２面１２の右側辺に固定されている。
尚、第４のカバー部１２ｂの上辺と左側辺は、第２面１２には固定されていない。また、上辺と左側辺の角部は、丸められており、メモ等を差し込み易くなっている。
【００２８】
［リング接続部１４］
第１面１１の接続部１３とは反対側の長辺（左側辺）には、システム手帳のリングに接続するリング接続部１４が形成されている。
リング接続部１４には、リングを通すためのリング穴１５が形成されている。
【００２９】
リング接続部１４は、システム手帳のリングレバーに接触しないよう、第１面１１に接続する長辺とは反対側の長辺と短辺の角部を斜めにカットして、当該反対側の長辺を短くしている。
具体的には、リング接続部１４の上記反対側の長辺で第１面１１の表側に折り返された構成となっている。
また、リング接続部１４には、第２面１２の接続部１３とは反対側の長辺（右側の長辺）を差し込んで、当該長辺を押さえ込むフラップ部１６が形成されている。
【００３０】
［フラップ部１６］
フラップ部１６は、同じ幅で帯状に形成されるが、接続部１３側の長辺（第２面１２の右側の長辺が差し込まれる側の長辺）と短辺の角部が斜めにカットされた形状になっている。
更に、フラップ部１６は、第１面１１の左側辺とリング接続部１４の接続辺で固定されている。
具体的には、フラップ部１６は、帯状の幅の約２倍の長さを備えており、接続部１３側の長辺で内側に折り返され、折り返された長辺も一緒に、第１面１１の左側辺とリング接続部１４の接続辺で固定されている。
【００３１】
［角部の処理］
本リフィルの本体１０の角部は、指に引っ掛からないように丸められ、丸みを帯びた形状（Ｒ形状）となっている。具体的には、第２面１２の右上の角部、右下の角部、リング接続部１４の左上の角部、左下の角部が丸められている。
【００３２】
また、接続部１３の上端と下端に切れ込みが形成され、その切れ込みによって形成された角部もＲ形状となっている。つまり、接続部１３に接する第１面１１の右上の角部と右下の角部が丸められ、接続部１３に接する第２面１２の左上の角部と左下の角部が丸められている。
【００３３】
そして、本リフィルが接続部１３で谷折りに折り込まれ、第２面１２の右側の端辺がフラップ部１６の内側に差し込まれた形状（閉じた状態）が図２である。
図２に示すように、本リフィルが閉じた状態では、四方の角部はＲ形状となっている。
【００３４】
［バイブルサイズリフィル：図３，４］
また、本リフィルにおいて、バイブルサイズの構成について図３，４を参照しながら説明する第図３は、バイブルサイズの本リフィルを開いた状態の平面図であり、図４は、バイブルサイズの本リフィルを閉じた状態の平面図である。
図１，２と同様の構成については、同じ符号を付与している。
図３，４では、図１，２のＡ５サイズに対してバイブルサイズというサイズの違いがあるが、基本的構成及び機能は同じである。
【００３５】
但し、バイブルサイズでは、図３，４に示すように、リング接続部１４の角部が斜めにカットされた形状とはなっていない。これは、その角部がシステム手帳のリングレバーに干渉しないためである。無論、当該角部を斜めにカットする構成としてもよい。
【００３６】
［製造方法］
本リフィルは、１枚の透明シートを切り抜いて形成するものであり、必要な箇所を折り返し、そして、圧着加工で部分的に固定するようにしている。
具体的には、第１面１１の上辺と第１のカバー部１１ａの上辺との固定は、折り返されて形成されており、第２面１２の上辺と第３のカバー部１２ａの上辺との固定も、折り返されて形成されている。
【００３７】
また、第１面１１の下辺と第２のカバー部１１ｂの下辺との固定は、折り返されて形成されており、第２面１２の下辺と第４のカバー部１２ｂの下辺との固定も、折り返されて形成されている。
【００３８】
そして、第２面１２の右側辺と第３のカバー部１２ａの右側辺との固定は、圧着加工で固定され、第２面１２の右側辺と第４のカバー部１２ｂの右側辺との固定も、圧着加工で固定されている。
更に、第１面１１の左側辺と第１のカバー部１１ａの左側辺及び第２のカバー部１１ｂの左側辺の固定は、リング接続部１４とフラップ部１６の固定と同時に、長辺方向に圧着加工で固定している。
【００３９】
このように、第１面１１の上辺と第１のカバー部１１ａの上辺との固定、第２面１２の上辺と第３のカバー部１２ａの上辺との固定、第１面１１の下辺と第２のカバー部１１ｂの下辺との固定、第２面１２の下辺と第４のカバー部１２ｂの下辺との固定を折り返しとすることで、Ａ５サイズリフィルには、Ａ４の用紙の三つ折りが上下につかえることなく収納することができる。
【００４０】
［実施の形態の効果］
本リフィルによれば、第１面１１と第２面１２が長辺で接続部１３により接続され、谷折りの内側の第１面１１の上部に第１のカバー部１１ａが、下部に第２のカバー部１１ｂが、第２面１２の上部に第３のカバー部１２ａが、下部に第４のカバー部１２ｂが形成され、これらカバー部１１ａ，１１ｂ，１２ａ，１２ｂは、本体１０接続部１３側の角部を固定しない構成としたものであり、谷折りにした状態でメモ、領収書、チケット、マスク等の小物をカバー部で押さえられるので、小物を落ちないように保持でき、手帳からはみ出ることがなく、見栄えをよくできる効果がある。
【００４１】
また、本リフィルは、第１面１１の接続部１３とは反対側の長辺に接続するリング接続部１４に設けられたフラップ部１６で第２面１２の右側の端辺を押さえ込むようにしているので、閉じた状態の第１面１１と第２面１２が簡単に開いてしまうことを防止できる効果がある。
【産業上の利用可能性】
【００４２】
本考案は、メモ、領収書、チケット、マスク等の小物を落としてしまうことがなく、それらを容易に包み込み、手帳からはみ出ることがないエンベロープリフィルに適している。
【符号の説明】
【００４３】
１０…本体、  １１…第１面、  １１ａ…第１のカバー部、  １１ｂ…第２のカバー部、  １２…第２面、  １２ａ…第３のカバー部、  １２ｂ…第４のカバー部、  １３…接続部、  １４…リング接続部、  １５…リング穴、  １６…フラップ部
【図１】
0003234078.tif 000003
【図２】
0003234078.tif 000004
【図３】
0003234078.tif 000005
【図４】
0003234078.tif 000006